(57)【特許請求の範囲】
【請求項１】
送信する複数のチャネルに対応した映像信号を周波数多重した多重映像信号を放送路を介してサービス提供装置からユーザ装置へ送信する映像配信システムであって、
前記ユーザ装置と前記サービス提供装置との間をデータ通信路でさらに接続し、
前記ユーザ装置は、
前記データ通信路で前記サービス提供装置と通信するデータ信号処理部と、前記多重映像信号のうち少なくとも一部の映像信号を選択的に透過する帯域制御フィルタと、自身の固有番号とを有しており、
前記固有番号及び所望の映像信号の情報を前記データ信号処理部から前記データ通信路を介して前記サービス提供装置に送信し、前記サービス提供装置から前記所望の映像信号の閲覧を許可する閲覧許可信号を前記データ通信路を介して前記データ信号処理部で受信し、前記閲覧許可信号に基づき、前記所望の映像信号が透過するように前記帯域制御フィルタの透過帯域を設定し、
前記サービス提供装置は、
前記ユーザ装置の前記固有番号と映像信号の閲覧可否を記載した放送サービスデータベースを有しており、
前記ユーザ装置から前記固有番号及び所望の映像信号の情報を前記データ通信路を介して受信した時に、前記固有番号を検索キーとして前記放送サービスデータベースを参照し、前記ユーザ装置が前記所望の映像信号の閲覧が許可されていることを確認すると、前記所望の映像信号の前記閲覧許可信号を前記データ通信路を介して前記ユーザ装置へ送信し、
前記固有番号は、前記ユーザ装置に割り当てられた電話番号である
ことを特徴とする映像配信システム。
【請求項２】
送信する複数のチャネルに対応した映像信号を周波数多重した多重映像信号を放送路を介してサービス提供装置からユーザ装置へ送信する映像配信方法であって、
前記ユーザ装置と前記サービス提供装置との間がデータ通信路でさらに接続されており、
前記ユーザ装置の固有番号及び所望の映像信号の情報を前記データ通信路を介して前記サービス提供装置に送信する要求手順と、
前記サービス提供装置が前記ユーザ装置から前記固有番号及び前記所望の映像信号の情報を前記データ通信路を介して受信した時に、前記固有番号を検索キーとして前記ユーザ装置の前記固有番号と映像信号の閲覧可否を記載した放送サービスデータベースを参照する参照手順と、
前記ユーザ装置が前記所望の映像信号の閲覧が許可されていることを確認すると、前記サービス提供装置から前記所望の映像信号の閲覧を許可する閲覧許可信号を前記データ通信路を介して前記ユーザ装置へ送信する許可手順と、
前記サービス提供装置から前記データ通信路を介して受信した前記閲覧許可信号に基づき、前記ユーザ装置が有する、前記多重映像信号のうち少なくとも一部の映像信号を選択的に透過する帯域制御フィルタの透過領域を前記所望の映像信号が透過するように設定する設定手順と、
を行い、
前記固有番号が、前記ユーザ装置に割り当てられた電話番号である
ことを特徴とする映像配信方法。
【発明の詳細な説明】
【技術分野】
【０００１】
本発明は、光ファイバを介して映像信号を配信する映像配信システム及び映像配信方法、並びに光ファイバで配信された映像信号を受信するユーザ装置及び映像受信方法に関する。
【背景技術】
【０００２】
ＩＰ（Ｉｎｔｅｒｎｅｔ  Ｐｒｏｔｏｃｏｌ）パケットなどのデータ信号を交換するデータ通信と映像配信とを、光ファイバを介して同時に行うことができる映像配信システムが実用化されている。図１は、実用化されている映像配信システム３００を説明する図である。映像配信システム３００は、ユーザ装置１００、通信事業者設備２００及び光伝送路５０を備える。ユーザ装置１００は、波長合分波器１１、映像信号用光終端装置（映像信号用ＯＮＵ（Ｏｐｔｉｃａｌ Ｎｅｔｗｏｒｋ Ｕｎｉｔ））１２、及びデータ信号用ＯＮＵ１３を備える。通信事業者設備２００は、波長合分波器２１、映像信号伝送装置２２、及び光回線終端装置（ＯＬＴ（Ｏｐｔｉｃａｌ Ｌｉｎｅ Ｔｅｒｍｉｎａｌ））２３を備える。波長合分波器１１と波長合分波器２１は、光スプリッタ５１を含む光伝送路５０で接続されている。例えば、映像信号伝送装置２２は映像信号を波長１．５５μｍ帯の光信号として光伝送路５０へ送信する。ＯＬＴ２３は、下りデータを波長１．４９μｍ帯の光信号として光伝送路５０へ送信し、ユーザ装置１００からの波長１．３μｍ帯の上り光信号を受信する。一方、映像信号用ＯＮＵ１２は、光伝送路５０からの波長１．５５μｍ帯の光信号から映像信号を受信する。データ信号用ＯＮＵ１３は、光伝送路５０からの波長１．４８μｍ帯の光信号から下りデータを受信するとともに、上りデータを波長１．３μｍ帯の光信号として光伝送路５０へ送信する。
【０００３】
従来のユーザ装置の一例として、図２の構成が開示されている（例えば、特許文献１を参照。）。
光伝送路５０は、波長合分波器１１に接続されている。前述のようにデータ信号用光信号及び映像信号用光信号は、光波長多重で多重化された形で波長合分波器１１に入力され、波長分波により映像信号用光信号とデータ信号用光信号とに分離される。なおデータ信号用光信号とは、データ通信信号（及び電話信号）が多重化され光信号の状態になっているものとする。
【０００４】
下りのデータ信号用光信号（データ通信信号及び電話信号の光信号）は、データ信号用ＯＮＵ１２で電気信号に変換される。電気信号に変換されたデータ通信信号及び電話信号は、最近の装置例（不図示）ではＩＰパケットで多重化されている為、ＩＰパケット制御プロトコルを利用しデータ信号処理部１５でデータ通信信号及び電話信号に分離される。電話信号はＩＰレイヤの上位プロトコル(例えばＳＩＰ)を利用したデジタル電話信号で、本信号をアナログ電話通信制御用信号に変換して回線交換端末インターフェース部に出力される。また、データ通信信号は、データ信号処理部１５からＬＡＮ (Ｌｏｃａｌ Ａｒｅａ Ｎｅｔｗｏｒｋ) 通信制御用信号に変換処理されてデータ通信端末インターフェース部に出力される。
【０００５】
一方、それぞれのインターフェース部から入力された上りのＬＡＮ通信制御用信号及びアナログ電話通信制御用信号は、デジタル変換されＩＰパケット制御プロトコルを利用してデータ信号処理部１５で多重化される。このとき、電話信号はＩＰレイヤの上位プロトコル（例えばＳＩＰ）を利用したデジタル電話信号で処理される。データ信号処理部１５はＩＰパケットで多重化した電気信号をデータ信号用ＯＮＵ１３へ入力する。データ信号用ＯＮＵ１３は、この入力された電気信号を光信号へ変換し、波長合分波器１１を介して光伝送路５０へ出力する。
【０００６】
一方、光伝送路５０からの映像信号用光信号は、波長合分波器１１で波長分波により下りのデータ信号用光信号及び映像信号用光信号と分離され、映像信号用ＯＮＵ１２へ入力され、映像信号用ＯＮＵ１２で電気信号に変換される。電気信号に変換された映像信号は、複数の映像チャネルに対応した複数のＲＦ（Ｒａｄｉｏ Ｆｒｅｑｕｅｎｃｙ）信号が周波数多重されている。
【０００７】
ユーザ装置を利用する利用者は、リモコン（不図示）を操作して視聴したいチャネルに対応したチャネル選択信号をユーザ装置１００に向けて発信する。チャネル選択信号は、ユーザ装置のリモコンインタフェース部で受信され、映像信号制御部１４のチューナ１６に送られる。チューナ１６は、受信したチャネル選択信号に基づき、特定のチャネル（これを“選択チャネル”とも言う）のＲＦ信号のみを切り出す。ＲＦ復調器１７は、選択チャネルのＲＦ信号を復調し、映像信号出力部を介して映像表示装置へ出力する。映像表示装置は、例えばテレビ受像機であって、映像信号出力部より出力された選択チャネルのＲＦ信号を受信し、映像を画面に表示する。このように、ユーザ装置１００は、利用者の操作によって任意のチャネルの映像信号を選択して出力させることができる。
なお、映像表示装置内にチューナやRF復調機能が内蔵されている映像表示装置、例えば、デジタルテレビを利用する場合には、デジタルテレビに対し付属のリモコン（不図示）で操作して視聴したいチャネルを選択する。その場合には、ユーザ装置１００にはチューナやＲＦ復調機能は不要となる。
【０００８】
ここで、複数の映像チャネルに対応したＲＦ信号は、複数の放送サービスに対応する信号が周波数多重されることもある。例えば、図３に示すように、地上波アナログ放送、地上波デジタル放送（７０〜７７０ＭＨｚ）、ＢＳデジタル放送、ＣＳデジタル放送（１０３２〜２０７２ＭＨｚ）の映像信号が周波数多重されることもある。
【先行技術文献】
【特許文献】
【０００９】
【特許文献１】特開２００１−２５１６１５
【発明の概要】
【発明が解決しようとする課題】
【００１０】
一部の放送サービスでは、映像信号に暗号化 (スクランブル)処理を行うことがある。暗号化処理により、すべてのあるいは任意のチャネルに対して閲覧制限あるいはコピー制限を行うことができる。利用者は、正規の手段で暗号解除キーを入手して映像表示装置に適用することにより、暗号化処理された映像信号を閲覧できるようになる。
【００１１】
ここで、ユーザ装置１００は、暗号化処理の有無にかかわらず、利用者の操作によって任意のチャネルの映像信号を選択して出力することができる。このため、ユーザ装置１００には、不正な手段で暗号解除キーを入手した場合、閲覧する権限がない利用者であっても暗号化処理された映像信号が閲覧可能という課題があった。
【００１２】
そこで、本発明は、上記課題を解決するために、映像を閲覧する権限がない利用者のユーザ装置に映像信号を出力させない映像配信システム、ユーザ装置、映像配信方法、及び映像受信方法を提供することを目的とする。あるいは、閲覧する権限の有無が変更された場合に遠隔から映像信号の出力を変更可能とする映像配信システム、ユーザ装置、映像配信方法、及び映像受信方法を提供することを目的とする。
【課題を解決するための手段】
【００１３】
上記目的を達成するために、本発明に係る映像配信システムは、次のユーザ装置とサービス提供装置を備える。ユーザ装置は、サービス提供装置から送信される複数のチャネルに対応したＲＦ信号が周波数多重された映像信号のうち少なくとも一部のＲＦ信号を選択的に透過することができる帯域制御フィルタを備えている。サービス提供装置は、ユーザ装置に割り当てられた電話番号に基づいて当該ユーザ装置を認証する。そして、ユーザ装置は、当該認証結果に基づいて帯域制御フィルタの透過帯域を制御する。
【００１４】
具体的には、本発明に係る映像配信システムは、送信する複数のチャネルに対応した映像信号を周波数多重した多重映像信号をサービス提供装置からユーザ装置へ送信する映像配信システムであって、
前記ユーザ装置は、
自身の固有番号と前記多重映像信号のうち少なくとも一部の映像信号を選択的に透過する帯域制御フィルタを有しており、前記固有番号及び所望の映像信号の情報を前記サービス提供装置に送信し、前記サービス提供装置から受信した前記所望の映像信号の閲覧を許可する閲覧許可信号に基づき、前記所望の映像信号が透過するように前記帯域制御フィルタの透過帯域を設定し、
前記サービス提供装置は、
前記ユーザ装置の前記固有番号と映像信号の閲覧可否を記載した放送サービスデータベースを有しており、前記ユーザ装置から前記固有番号及び所望の映像信号の情報を受信した時に、前記固有番号を検索キーとして前記放送サービスデータベースを参照し、前記ユーザ装置が前記所望の映像信号の閲覧が許可されていることを確認すると、前記所望の映像信号の前記閲覧許可信号を前記ユーザ装置へ送信する
ことを特徴とする。
【００１５】
また、本発明に係るユーザ装置は、送信する複数のチャネルに対応した映像信号を周波数多重した多重映像信号をサービス提供装置から受信するユーザ装置であって、
自身の固有番号と前記多重映像信号のうち少なくとも一部の映像信号を選択的に透過する帯域制御フィルタを有しており、前記固有番号及び前記所望の映像信号の情報を前記サービス提供装置に送信し、前記サービス提供装置から受信した前記所望の映像信号の閲覧を許可する閲覧許可信号に基づき、前記所望の映像信号を透過するように前記帯域制御フィルタの透過帯域を設定する
ことを特徴とする。
【００１６】
また、本発明に係る映像配信方法は、送信する複数のチャネルに対応した映像信号を周波数多重した多重映像信号をサービス提供装置からユーザ装置へ送信する映像配信方法であって、
前記ユーザ装置の固有番号及び所望の映像信号の情報を前記サービス提供装置に送信する要求手順と、
前記サービス提供装置が前記ユーザ装置から前記固有番号及び前記所望の映像信号の情報を受信した時に、前記固有番号を検索キーとして前記ユーザ装置の前記固有番号と映像信号の閲覧可否を記載した放送サービスデータベースを参照する参照手順と、
前記ユーザ装置が前記所望の映像信号の閲覧が許可されていることを確認すると、前記サービス提供装置から前記所望の映像信号の閲覧を許可する閲覧許可信号を前記ユーザ装置へ送信する許可手順と、
前記サービス提供装置から受信した前記閲覧許可信号に基づき、前記ユーザ装置が有する、前記多重映像信号のうち少なくとも一部の映像信号を選択的に透過する帯域制御フィルタの透過領域を前記所望の映像信号が透過するように設定する設定手順と、
を行うことを特徴とする。
【００１７】
また、本発明に係る映像受信方法は、送信する複数のチャネルに対応した映像信号を周波数多重した多重映像信号をユーザ装置で受信する映像受信方法であって、
前記ユーザ装置の固有番号及び所望の映像信号の情報を前記多重映像信号を配信するサービス提供装置に送信する要求手順と、
前記サービス提供装置から受信した前記所望の映像信号の閲覧を許可する閲覧許可信号に基づき、前記多重映像信号のうち少なくとも一部の映像信号を選択的に透過する帯域制御フィルタの透過帯域を前記所望の映像信号が透過するように設定する設定手順と、
を有することを特徴とする。
【００１８】
映像配信側でユーザ装置の認証を行い、ユーザ装置内の帯域制御フィルタを制御するので、映像を閲覧する権限がないユーザ装置はその映像信号を出力しない。従って、本発明は、映像を閲覧する権限がない利用者のユーザ装置に映像信号を出力させない映像配信システム、ユーザ装置、映像配信方法、及び映像受信方法を提供することができる。
そして、閲覧する権限の有無が変更された場合に遠隔（映像配信側）から映像信号の出力を変更可能とする映像配信システム、ユーザ装置、映像配信方法、及び映像受信方法を提供することができる。
【発明の効果】
【００１９】
本発明は、映像を閲覧する権限がない利用者のユーザ装置に映像信号を出力させない映像配信システム、ユーザ装置、映像配信方法、及び映像受信方法を提供することができる。あるいは、映像を閲覧する権限の有無が変更された場合に、ユーザ装置からの映像信号の出力を遠隔で変更可能とする映像配信システム、ユーザ装置、映像配信方法、及び映像受信方法を提供することができる。
【図面の簡単な説明】
【００２０】
【図１】本発明に関連する映像配信システムを説明する図である。
【図２】本発明に関連するユーザ装置を説明する図である。
【図３】映像信号のスペクトルを説明する図である。
【図４】本発明に係る映像配信システムを説明する図である。
【図５】本発明に係る映像配信システムのサービス提供装置が備える放送サービスデータベースを説明する図である。
【図６】本発明に係る映像配信システムを説明する図である。
【図７】本発明に係るユーザ装置が備える帯域制御フィルタの動作を説明する図である。
【図８】本発明に係る映像配信システムの動作を説明するシーケンス図である。
【図９】本発明に係る映像配信システムの動作を説明するシーケンス図である。
【図１０】本発明に係る映像配信システムの動作を説明するシーケンス図である。
【図１１】本発明に係る映像配信システムの動作を説明するシーケンス図である。
【発明を実施するための形態】
【００２１】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２２】
（実施形態１）
本実施形態は、ユーザ端末の回線交換端末装置（電話機）が発呼する態様である。
図４は、本実施形態の映像配信システム３０１を説明する図である。映像配信システム３０１は、送信する複数のチャネルに対応した映像信号を周波数多重した多重映像信号をサービス提供装置２０１からユーザ装置１０１へ送信する映像配信システムであって、
ユーザ装置１０１は、
自身の固有番号と前記多重映像信号のうち少なくとも一部の映像信号を選択的に透過する帯域制御フィルタ１８を有しており、前記固有番号及び所望の映像信号の情報をサービス提供装置２０１に送信し、サービス提供装置２０１から受信した前記所望の映像信号の閲覧を許可する閲覧許可信号に基づき、前記所望の映像信号が透過するように帯域制御フィルタ１８の透過帯域を設定し、
サービス提供装置２０１は、
ユーザ装置１０１の前記固有番号と映像信号の閲覧可否を記載した放送サービスデータベースを有しており、ユーザ装置１０１から前記固有番号及び所望の映像信号の情報を受信した時に、前記固有番号を検索キーとして前記放送サービスデータベースを参照し、ユーザ装置１０１が前記所望の映像信号の閲覧が許可されていることを確認すると、前記所望の映像信号の前記閲覧許可信号をユーザ装置１０１へ送信する
ことを特徴とする。
【００２３】
ユーザ装置１０１は、送信する複数のチャネルに対応した映像信号を周波数多重した多重映像信号をサービス提供装置から受信する。ユーザ装置１０１は、映像信号制御部１４にチューナ及びＲＦ復調器（不図示）の他に帯域制御フィルタ１８を有する。帯域制御フィルタ１８は、受信したフィルタ制御信号に基づき、透過帯域を変更可能な帯域通過フィルタあるいは帯域遮断フィルタである。帯域制御フィルタ１８は、サービス提供装置２０１が送信する複数の放送サービス（またはチャネル）に対応した映像信号を選択的に透過ないし遮断（あるいは信号の妨害、または減衰）することができる。
【００２４】
ユーザ装置１０１は、フィルタ制御部１９ａ、ＳＩＰ処理部１９ｂ及びルーティング処理部１９ｃを有するデータ信号処理部１９を備える。
フィルタ制御部１９ａは、帯域制御フィルタ１８に対して、透過ないし遮断させたい帯域を指定するためのフィルタ制御信号を出力する。
ＳＩＰ処理部１９ｂは、電話の発信／着信といった呼制御を行うプロトコルであるＳＩＰ（Ｓｅｓｓｉｏｎ  Ｉｎｉｔｉａｔｉｏｎ  Ｐｒｏｔｏｃｏｌ）を処理する機能部であり、端末として動作するＵＡ（Ｕｓｅｒ  Ａｇｅｎｔ）の機能を有する。
ルーティング処理部１９ｃは、ＩＰ（Ｉｎｔｅｒｎｅｔ  Ｐｒｏｔｏｃｏｌ）パケットのルーティング処理を行う機能部である。入力されたＩＰパケットのヘッダに付与された宛先ＩＰアドレスを参酌し、所定のルーティングプロトコルを用いて更新されるルーティングテーブルに従って、ＩＰパケットを所定の経路に出力する。
【００２５】
サービス提供装置２０１は、映像信号送信部３１と認証制御部３２を備える。映像信号送信部３１は、ユーザ装置に向けて配信する放送サービス（映像）を保持しており、計画に従って、あるいは要求に応じて当該映像を配信する。認証制御部３２は、ルーティング処理部３２ａ、認証処理部３２ｂ、及びＳＩＰ処理部３２ｃを有する。ルーティング処理部３２ａ及びＳＩＰ処理部３２ｃは、それぞれルーティング処理部１９ｃ及びＳＩＰ処理部１９ｂと同様の機能を持つ。
【００２６】
認証処理部３２ｂは、後述する放送サービスＤＢ（ＤａｔａＢａｓｅ）を参照してユーザ装置１０１の固有番号である電話番号からユーザ装置を認証し、認証結果に基づきユーザ装置１０１の帯域制御フィルタ１８の制御の可否を判断する。なお、固有番号はユーザ装置を認証できる番号等であれば電話番号でなくともよい。また認証精度を上げるため、電話番号の他に組み合わせる認証情報として、例えば暗証番号（パスワード）、マイナンバ―カードに代表される電子証明書、生体情報（例：指紋、静脈、虹彩（虹彩パターンの濃淡値のヒストグラム）、音声（声紋）、筆跡（軌跡・速度・筆圧の変化などの癖）等）を加えても良い。またユーザ装置側の電話（発信者）番号の偽装による認証誤りを防ぐため、サービス装置側からコールバック（電話のかけ直し）で再接続後に確認する認証方式としても良く、コールバックで認証する方式と上記の認証情報と組み合わせても良い。認証処理部３２ｂは、帯域制御フィルタ１８の制御が可能と判断した場合、帯域制御フィルタ１８が所望の帯域を透過ないし遮断するよう指示する閲覧許可信号を生成する。閲覧許可信号は、フィルタ制御部１９ａを制御するための制御信号、あるいは制御コマンドである。認証処理部３２ｂは、サービス提供装置２０１が提供可能な放送サービスのそれぞれに対する、各ユーザ装置の受信可否を記したデータベース（以下、「放送サービスＤＢ」と言う。）を保有している。放送サービスＤＢには、例えば図５に示したように、各ユーザ装置に対応する電話番号、および当該ユーザ装置で出力を許可する放送サービスが記載される。放送サービスＤＢには、図５に示したような放送サービスの形態の種別だけでなく、契約条件、例えば許可する有料コンテンツの対象条件により有効とする放送チャネル（周波数帯域）情報も含めてよい。
【００２７】
ユーザ装置１０１とサービス提供装置２０１との間は、映像信号送信部３１と映像信号制御部１４とを接続する映像信号用のケーブルとルーティング処理部３２ａとルーティング処理部１９ｃとを接続するデータネットワーク（例えば、ＩＰ網）で接続される。
【００２８】
なお、サービス提供装置とユーザ装置との間は、例えば図６のように、通信事業者設備２００を介して接続されていてもよい。この場合、データ通信と映像配信とを同時に行うことができる光アクセス回線、あるいは、ケーブルテレビ事業者が提供するデータ通信と映像配信とを同時に行うことができるＣＡＴＶ回線を用いて接続する。また、ユーザ装置には、波長合分波器１１、映像信号用ＯＮＵ１２、及びデータ信号用ＯＮＵ１３が追加されることで、映像信号とデータ信号を光波長多重で多重化し１本の光アクセス回線にして利用可能になる。
【００２９】
続いて、図８を用いて映像配信システム３０１や３０２の動作を説明する。本実施形態の映像配信方法は、送信する複数のチャネルに対応した映像信号を周波数多重した多重映像信号をサービス提供装置２０１からユーザ装置１０１へ送信する映像配信方法であって、
ユーザ装置１０１の固有番号及び所望の映像信号の情報をサービス提供装置２０１に送信する要求手順と、
サービス提供装置２０１がユーザ装置１０１から前記固有番号及び前記所望の映像信号の情報を受信した時に、前記固有番号を検索キーとして前記ユーザ装置の前記固有番号と映像信号の閲覧可否を記載した放送サービスデータベースを参照する参照手順と、
ユーザ装置１０１が前記所望の映像信号の閲覧が許可されていることを確認すると、サービス提供装置２０１から前記所望の映像信号の閲覧を許可する閲覧許可信号をユーザ装置１０１へ送信する許可手順と、
サービス提供装置２０１から受信した前記閲覧許可信号に基づき、ユーザ装置１０１が有する、前記多重映像信号のうち少なくとも一部の映像信号を選択的に透過する帯域制御フィルタの透過領域を前記所望の映像信号が透過するように設定する設定手順と、
を行うことを特徴とする。
【００３０】
［フィルタ制御処理の流れ］
帯域制御フィルタ１８の制御処理を、図４の構成および図８の信号の流れを参酌しながら説明する。ここでは、例として、帯域制御フィルタ１８を、図７（ａ）に示した如く「地上波アナログ放送」および「地上波デジタル放送」に係る映像信号が透過される状態から、図７（ｂ）に示した如く「地上波アナログ放送」、「地上波デジタル放送」および「ＢＳデジタル放送」に係る映像信号が透過される状態へ制御する場合を説明する。
【００３１】
なお、本願発明は、例えば、ユーザ装置における帯域制御フィルタを図７（ｂ）に示した状態から図７（ａ）に示した状態へ制御する場合、すなわち、ユーザ装置での放送サービスを閲覧不可とするよう制御する場合に対しても適用可能であることは、言うまでもない。
【００３２】
（電話番号通知処理）
ユーザ装置１０１の回線交換端末インタフェース部に接続された回線交換端末装置（例えば電話機など）は、ユーザ装置１０１の利用者（不図示）の操作に基づき、サービス提供装置２０１に一意に与えられた電話番号宛てに発呼する。回線交換端末装置からの発呼情報が、回線交換端末インタフェース部を介してユーザ装置１０１のデータ信号処理部１９に備わるＳＩＰ処理部１９ｂに到達すると、ＳＩＰ処理部１９ｂは、自身に対して一意に与えられた電話番号とサービス提供装置２０１の電話番号を付したＳＩＰメッセージ（一般的には「ＩＮＶＩＴＥメッセージ」とも言う。）を作成する。作成されたＳＩＰメッセージはＩＰパケットに格納され、ユーザ装置１０１のルーティング処理部１９ｃ、データネットワーク、およびサービス提供装置２０１の認証・制御部３２に転送される。そして、ＳＩＰメッセージはルーティング処理部３２ａを介して、ＳＩＰ処理部３２ｃへ転送される。
【００３３】
サービス提供装置２０１のＳＩＰ処理部３２ｃは、ユーザ装置１０１が作成したＳＩＰメッセージ（ＩＮＶＩＴＥメッセージ）を受信すると、着呼した旨を示すＳＩＰメッセージ（一般的には「２００  ＯＫメッセージ」とも言う。）を作成する。当該ＳＩＰメッセージはＩＰパケットに格納され、ルーティング処理部３２ａ、データネットワーク、およびユーザ装置１０１のルーティング処理部１９ｃを介して、ユーザ装置１０１のＳＩＰ処理部１９ｂへ転送される。
【００３４】
ユーザ装置１０１のＳＩＰ処理部１９ｂは、当該ＳＩＰメッセージ（２００  ＯＫメッセージ）を受信すると、メッセージを正しく受信した旨を示すＳＩＰメッセージ（一般には「ＡＣＫメッセージ」とも言う。）を作成する。当該ＳＩＰメッセージはＩＰパケットに格納され、サービス提供装置２０１宛てに送信される。このような３度のメッセージ送受信（３−ｗａｙ  ｈａｎｄｓｈａｋｅ）により、ユーザ装置１０１のＳＩＰ処理部１９ｂとサービス提供装置２０１のＳＩＰ処理部３２ｃとの間でセッションが確立される。
【００３５】
（放送サービス変更要求処理）
ユーザ装置１０１のＳＩＰ処理部１９ｂとサービス提供装置２０１のＳＩＰ処理部３２ｃとの間でセッションが確立されると、ＳＩＰ処理部１９ｂは、任意のプロトコルを用いて、放送サービス要求メッセージをＳＩＰ処理部３２ｃへ送信する。放送サービス要求メッセージは、ユーザ装置の映像信号出力部から新たに出力させたい放送サービスないしチャネルをサービス提供装置に通知するためのメッセージである。本実施形態では、新たにＢＳデジタル放送に係る映像信号の出力が要求される。
【００３６】
例えば、回線交換端末装置は、ユーザ装置１０１とサービス提供装置２０１との間でセッションが確立されたことを利用者に通知するとともに、利用者の操作によるプッシュトーンの入力を受け付ける。回線交換端末装置は、ユーザ装置１０１のＳＩＰ処理部１９ｂに対してプッシュトーンを出力する。ここで、あるプッシュトーンは特定の放送サービスの提供要求に紐付けられている。例えば、「＃３」のプッシュトーンはＢＳデジタル放送の提供を、「＃４」のプッシュトーンはＣＳデジタル放送の提供を要求する信号であると定義されている。ユーザ装置１０１のＳＩＰ処理部１９ｂは、受信したプッシュトーンから要求されている放送サービスを認識して放送サービス要求メッセージを生成し、サービス提供装置２０１のＳＩＰ処理部３２ｃに送信する。
【００３７】
（認証処理）
サービス提供装置２０１のＳＩＰ処理部３２ｃは、ユーザ装置１０１から放送サービス要求メッセージを受信すると、「（ａ）ＳＩＰメッセージ（ＩＮＶＩＴＥメッセージ）に記載されたユーザ装置の電話番号」と、「（ｂ）放送サービス要求メッセージに記載されている、ユーザ装置が要求する放送サービス」とを、認証処理部３２ｂへ通知する。
【００３８】
認証処理部３２ｂは、「（ａ）ユーザ装置の電話番号」と「（ｂ）ユーザ装置が要求する放送サービス」とを受信すると、受信した電話番号を検索キーとして自身が保有する放送サービスＤＢを参照する。認証処理部３２ｂは、放送サービスＤＢを参照した結果、当該ユーザ装置が要求してきた放送サービスの閲覧が許可されている（すなわち、ユーザ装置が放送サービスに係る映像信号を出力することが許可されている）ことを確認すると、「（ａ）ユーザ装置の電話番号」と、「（ｂ）ユーザ装置が要求する放送サービス」を通知する閲覧許可信号を生成する。閲覧許可信号は、宛先アドレスとして放送サービス要求メッセージを送信したユーザ装置のＩＰアドレスが付与されたＩＰパケットに格納される。認証処理部３２ｂは、閲覧許可信号を、ルーティング処理部３２ａ、データネットワーク、およびユーザ装置１０１のルーティング処理部１９ｃを介してフィルタ制御部１９ａへ送信する。
【００３９】
なお、サービス提供装置２０１の認証処理部３２ｂは、ユーザ装置が要求してきた放送サービスの閲覧が許可されていないことを確認した場合は、受信した「（ａ）ユーザ装置の電話番号」と、「（ｂ）ユーザ装置が要求する放送サービス」の情報を破棄し、認証処理を終了するようにしてもよい。あるいは、認証に失敗した旨を通知するためのメッセージを生成し、ユーザ装置１０１へ送信するようにしてもよい。
【００４０】
（フィルタ設定処理）
ユーザ装置１０１のフィルタ制御部１９ａは、受信した閲覧許可信号を解読する。フィルタ制御部１９ａは、解読した閲覧許可信号に含まれる「（ａ）ユーザ装置の電話番号」が自身の電話番号と一致していた場合、映像信号制御部１４に備わる帯域制御フィルタ１８に対し、「（ｂ）要求した放送サービス」に係る映像信号の周波数帯域を透過させることを指示するフィルタ制御信号を送信する。
【００４１】
ユーザ装置１０１の帯域制御フィルタ１８は、受信したフィルタ制御信号で指定された「（ｂ）要求した放送サービス」に係る映像信号の周波数帯域を透過するように、自身の透過帯域を設定する。すなわち、帯域制御フィルタ１８は、受信したフィルタ制御信号に従い、図７（ａ）であった透過帯域を、図７（ｂ）のようにＢＳデジタル放送に係る映像信号を透過するよう設定する。
【００４２】
帯域制御フィルタ１８の透過帯域がフィルタ制御信号に従って変更されることで、ユーザ装置１０１は、受信した映像信号から地上波アナログ放送、地上波デジタル放送およびＢＳデジタル放送のそれぞれに係る映像信号を、映像信号出力部より出力させることができるようになる。
【００４３】
以上のように、映像配信システム（３０１、３０２）は、
（１）ユーザ装置の回線交換端末インタフェース部に接続された回線交換端末装置の操作により、ユーザ装置は「（ａ）ユーザ装置の電話番号」と「（ｂ）ユーザ装置にて出力したい放送サービス」とをサービス提供装置に送信し、
（２）サービス提供装置は、受信した「（ａ）ユーザ装置の電話番号」を検索キーとして自身が保有する放送サービスＤＢを参照し、「（ｂ）当該ユーザ装置要求する放送サービス」の閲覧が許可されていることを確認すると、当該放送サービスの閲覧を許可する旨の閲覧許可信号を生成し、
（３）ユーザ装置は、受信した閲覧許可信号に基づき、閲覧が許可された放送サービスの映像信号を透過するように、帯域制御フィルタの透過帯域を設定する
うに動作する。
【００４４】
このようにユーザ装置は、サービス提供装置における電話番号に基づく認証処理を経て、閲覧したい放送サービスに係る映像信号を出力することができるようになるため、利用者が不正な手段で暗号解除キーを入手したとしても、サービス提供装置で認証に成功しない限り利用者は放送サービスを閲覧できない。すなわち、本発明は、利用者による不正な放送サービスの閲覧を防止することができる、という効果を奏する。
【００４５】
（実施形態２）
実施形態１では、ユーザ装置に接続された回線交換端末装置の操作を契機として、ユーザ装置に備わる帯域制御フィルタの透過帯域を設定する態様を説明してきたが、本発明はこの実施形態に限定されるものではない。本実施形態は、ユーザ端末のデータ通信端末装置（ＰＣ）が制御する態様であって、ＰＣがＳＩＰ処理部を制御して発呼する態様である。本実施形態の構成は図４の映像配信システム３０１又は図６の映像配信システム３０２と同様である。
【００４６】
［フィルタ制御処理の流れ］
図９は、図４の映像配信システム３０１での、ユーザ装置における帯域制御フィルタの制御処理の流れを説明する図である。
【００４７】
（電話番号通知処理）
ユーザ装置１０１のデータ通信端末インタフェース部に接続されたデータ通信端末装置（例えば汎用コンピュータなど）は、ユーザ装置１０１の利用者（不図示）の操作に基づき、放送サービス要求メッセージを作成し、任意のプロトコルを用いて出力する。放送サービス要求メッセージは、ユーザ装置の映像信号出力部から新たに出力させたい放送サービスないしチャネルをサービス提供装置に通知するためのメッセージである。任意のプロトコルは、例えばＨＴＴＰ（Ｈｙｐｅｒ  Ｔｅｘｔ  Ｔｒａｎｓｆｅｒ  Ｐｒｏｔｏｃｏｌ）など、所定のメッセージを送達可能なプロトコルであればよい。放送サービス要求メッセージは、ルーティング処理部１９ｃを介して、ＳＩＰ処理部１９ｂへ転送される。
【００４８】
ユーザ装置１０１のＳＩＰ処理部１９ｂは、データ通信端末装置から出力された放送サービス要求メッセージを受信すると、自身に対して一意に与えられた電話番号とサービス提供装置の電話番号を付したＳＩＰメッセージ（一般的には「ＩＮＶＩＴＥメッセージ」とも言う。）を作成する。作成されたＳＩＰメッセージはＩＰパケットに格納され、ユーザ装置１０１のルーティング処理部１９ｃ、データネットワーク、およびサービス提供装置２０１の認証・制御部３２に転送される。そして、ＳＩＰメッセージはルーティング処理部３２ａを介して、ＳＩＰ処理部３２ｃへ転送される。さらに、ユーザ装置１０１とサービス提供装置２０１は、実施形態１で説明した３−ｗａｙ  ｈａｎｄｓｈａｋｅ処理と同様の処理を行うことで、セッションを確立する。
【００４９】
（放送サービス変更要求処理）
ユーザ装置１０１のＳＩＰ処理部１９ｂとサービス提供装置２０１のＳＩＰ処理部３２ｃとの間でセッションが確立されると、ＳＩＰ処理部１９ｂは、データ通信端末装置が出力した放送サービス要求メッセージをＳＩＰ処理部３２ｃへ転送する。
【００５０】
（認証処理）
サービス提供装置２０１のＳＩＰ処理部３２ｃは、ユーザ装置１０１から放送サービス要求メッセージを受信すると、「（ａ）先に受信したＳＩＰメッセージ（ＩＮＶＩＴＥメッセージ）に記載されたユーザ装置の電話番号」と、「（ｂ）放送サービス要求メッセージに記載されている、ユーザ装置が要求する放送サービス」とを、認証処理部３２ｂへ通知する。
【００５１】
サービス提供装置２０１の認証処理部３２ｂは、実施形態１で説明した認証処理と同様の処理を行って閲覧許可信号を生成し、ルーティング処理部３２ａ、データネットワーク、およびユーザ装置１０１のルーティング処理部１９ｃを介してフィルタ制御部１９ａへ送信する。
【００５２】
（フィルタ設定処理）
ユーザ装置１０１のフィルタ制御部１９ａは、実施形態１で説明したフィルタ設定処理と同様の処理を行う。フィルタ設定処理により、ユーザ装置１０１は、受信した映像信号から「要求した放送サービス」に係る映像信号を映像信号出力部より出力させることができるようになる。
【００５３】
ユーザ装置１０１のフィルタ制御部１９ａは、フィルタ設定処理が完了した後、フィルタ設定処理が完了したことを示す信号をＳＩＰ処理部１９ｂに送信するようにしてもよい。そして、ＳＩＰ処理部１９ｂは、ユーザ装置１０１に接続されたデータ通信端末装置に対し、フィルタ設定処理が完了したことを示す信号を送信するようにしてもよい。
【００５４】
以上のように、本実施形態の映像配信システムは、
（１）ユーザ装置のデータ通信端末インタフェース部に接続されたデータ通信端末装置の操作により、ユーザ装置は「（ａ）ユーザ装置の電話番号」と「（ｂ）ユーザ装置にて出力したい放送サービス」とをサービス提供装置に送信し、
サービス提供装置は、受信した「（ａ）ユーザ装置の電話番号」を検索キーとして自身が保有する放送サービスＤＢを参照し、「（ｂ）当該ユーザ装置要求する放送サービス」の閲覧が許可されていることを確認すると、当該放送サービスの閲覧を許可する旨の閲覧許可信号を生成し、
ユーザ装置は、受信した閲覧許可信号に基づき、閲覧が許可された放送サービスの映像信号を透過するように、帯域制御フィルタの透過帯域を設定する、
ように動作する。
【００５５】
このようにユーザ装置は、サービス提供装置における電話番号に基づく認証処理を経て、閲覧したい放送サービスに係る映像信号を出力することができるようになるため、利用者が不正な手段で暗号解除キーを入手したとしても、サービス提供装置で認証に成功しない限り利用者は放送サービスを閲覧できない。すなわち、本発明は、利用者による不正な放送サービスの閲覧を防止することができる、という効果を奏する。
【００５６】
（実施形態３）
本実施形態は、ユーザ端末のデータ通信端末装置（ＰＣ）が制御する態様であって、ＰＣがサービス提供装置にＩＰでアクセスし、サービス提供装置がユーザ端末へ発呼する態様である。本実施形態の構成は図４の映像配信システム３０１又は図６の映像配信システム３０２と同様である。
【００５７】
［フィルタ制御処理の流れ］
図１０は、図４の映像配信システム３０１での、ユーザ装置における帯域制御フィルタの制御処理の流れを説明する図である。
【００５８】
（放送サービス変更要求処理）
ユーザ装置１０１のデータ通信端末インタフェース部に接続されたデータ通信端末装置（例えば汎用コンピュータなど）は、ユーザ装置の利用者（不図示）の操作に基づき、任意のプロトコルを用いて、放送サービス要求メッセージをサービス提供装置２０１へ送信する。放送サービス要求メッセージは、ユーザ装置の映像信号出力部から新たに出力させたい放送サービスないしチャネルをサービス提供装置に通知するためのメッセージである。任意のプロトコルは、例えばＨＴＴＰ（Ｈｙｐｅｒ  Ｔｅｘｔ  Ｔｒａｎｓｆｅｒ  Ｐｒｏｔｏｃｏｌ）など、所定のメッセージを送達可能なプロトコルであればよい。放送サービス要求メッセージはＩＰパケットに格納され、ユーザ装置１０１のルーティング処理部１９ｃ、データネットワーク、サービス提供装置２０１のルーティング処理部３２ａを介して、認証処理部３２ｂへ転送される。
【００５９】
サービス提供装置２０１の認証処理部３２ｂは、受信した放送サービス要求メッセージを解読し、送信元のユーザ装置のＩＰアドレスおよび要求されている放送サービスを認識する。送信元のユーザ装置のＩＰアドレスは、放送サービス要求メッセージを格納したＩＰパケットのヘッダ情報から認識するようにすればよい。認証処理部３２ｂは、自身が保有する放送サービスＤＢを参照し、認識したＩＰアドレスからユーザ装置の電話番号を認識する。認証処理部３２ｂは、ユーザ装置のＩＰアドレスと電話番号とをＳＩＰ処理部３２ｃに送信する。
【００６０】
（電話番号通知処理）
サービス提供装置２０１のＳＩＰ処理部３２ｃは、自身に対して一意に与えられた電話番号とユーザ装置の電話番号とを付したＳＩＰメッセージ（一般的には「ＩＮＶＩＴＥメッセージ」とも言う。）を作成する。作成されたＳＩＰメッセージはＩＰパケットに格納され、宛先アドレスとして認証処理部３２ｂより送信されたＩＰアドレスが付与される。作成されたＩＰパケットは、ルーティング処理部３２ａ、データネットワーク、およびルーティング処理部１９ｃを介して、ＳＩＰ処理部１９ｂへ転送される。
【００６１】
ユーザ装置１０１のＳＩＰ処理部１９ｂは、当該ＳＩＰメッセージ（ＩＮＶＩＴＥメッセージ）を受信すると、着呼した旨を示すＳＩＰメッセージ（一般的には「２００  ＯＫメッセージ」とも言う。）を作成する。当該ＳＩＰメッセージはＩＰパケットに格納され、ルーティング処理部１９ｃ、データネットワーク、およびルーティング処理部３２ａを介して、サービス提供装置のＳＩＰ処理部３２ｃへ転送される。
【００６２】
サービス提供装置２０１のＳＩＰ処理部３２ｃは、当該ＳＩＰメッセージ（２００  ＯＫメッセージ）を受信すると、メッセージを正しく受信した旨を示すＳＩＰメッセージ（一般には「ＡＣＫメッセージ」とも言う。）を作成する。当該ＳＩＰメッセージはＩＰパケットに格納され、ユーザ装置宛てに送信される。このような処理により、サービス提供装置２０１とユーザ装置１０１との間でセッションが確立される。
【００６３】
なお、セッション確立後、ユーザ装置に接続された回線交換端末装置は、利用者の操作に基づき、暗証番号に対応するプッシュトーンを出力するようにしてもよい。この暗証番号は、ユーザ装置１０１とサービス提供装置２０１との間のさらなる認証精度向上に用いられる。
【００６４】
（認証処理）
サービス提供装置２０１のＳＩＰ処理部３２ｃは、ユーザ装置１０１のＳＩＰ処理部１９ｂとの間でセッションが確立すると、「（ａ）受信したＳＩＰメッセージ（ＩＮＶＩＴＥメッセージ）に記載されたユーザ装置の電話番号」を認証処理部３２ｂへ通知する。認証処理部３２ｂは、先に受信した放送サービス要求メッセージから「（ｂ）ユーザ装置が要求する放送サービス」に関する情報を把握している。
【００６５】
サービス提供装置２０１の認証処理部３２ｂは、受信した「（ａ）ユーザ装置の電話番号」電話番号を検索キーとして自身が保有する放送サービスＤＢを参照する。認証処理部３２ｂは、放送サービスＤＢを参照した結果、当該ユーザ装置が要求してきた放送サービスの閲覧が許可されている（すなわち、ユーザ装置が放送サービスに係る映像信号を出力することが許可されている）ことを確認すると、「（ａ）ユーザ装置の電話番号」と、「（ｂ）ユーザ装置が要求する放送サービス」を通知する閲覧許可信号を生成する。閲覧許可信号は、宛先アドレスとして放送サービス要求メッセージを送信したユーザ装置のＩＰアドレスが付与されたＩＰパケットに格納される。認証処理部３２ｂは、閲覧許可信号を、ルーティング処理部３２ａ、データネットワーク、およびユーザ装置１０１のルーティング処理部１９ｃを介してフィルタ制御部１９ａへ送信する。
【００６６】
（フィルタ設定処理）
ユーザ装置１０１のフィルタ制御部１９ａは、実施形態１で説明したフィルタ設定処理と同様の処理を行う。フィルタ設定処理により、ユーザ装置１０１は、受信した映像信号から「要求した放送サービス」に係る映像信号を映像信号出力部より出力させることができるようになる。
【００６７】
ユーザ装置１０１のフィルタ制御部１９ａは、フィルタ設定処理が完了した後、フィルタ設定処理が完了したことを示す信号をサービス提供装置２０１の認証処理部３２ｂに送信するようにしてもよい。そして、認証処理部３２ｂは、ユーザ装置１０１に接続されたデータ通信端末装置に対し、フィルタ設定処理が完了したことを示す信号を送信するようにしてもよい。
【００６８】
以上のように、本実施形態の映像配信システムは、
（１）ユーザ装置のデータ通信端末インタフェース部に接続されたデータ通信端末装置の操作により、ユーザ装置は「（ａ）ユーザ装置の電話番号」と「（ｂ）ユーザ装置にて出力したい放送サービス」とをサービス提供装置に送信し、
（２）サービス提供装置は、受信した「（ａ）ユーザ装置の電話番号」を検索キーとして自身が保有する放送サービスＤＢを参照し、「（ｂ）当該ユーザ装置要求する放送サービス」の閲覧が許可されていることを確認すると、当該放送サービスの閲覧を許可する旨の閲覧許可信号を生成し、
（３）ユーザ装置は、受信した閲覧許可信号に基づき、閲覧が許可された放送サービスの映像信号を透過するように、帯域制御フィルタの透過帯域を設定する、
ように動作する。
【００６９】
このようにユーザ装置は、サービス提供装置における電話番号に基づく認証処理を経て、閲覧したい放送サービスに係る映像信号を出力することができるようになるため、利用者が不正な手段で暗号解除キーを入手したとしても、サービス提供装置で認証に成功しない限り利用者は放送サービスを閲覧できない。すなわち、本発明は、利用者による不正な放送サービスの閲覧を防止することができる、という効果を奏する。
【００７０】
（実施形態４）
本実施形態は、サービス提供装置からユーザ端末の回線交換端末装置（電話機）に発呼する態様である。本実施形態の構成は図４の映像配信システム３０１又は図６の映像配信システム３０２と同様である。
【００７１】
実施形態３では、ユーザ装置のデータ通信端末インタフェース部に接続されたデータ通信端末装置が、サービス提供装置に備わる認証処理部へ放送サービス要求メッセージを送信することを契機として、ユーザ装置に備わる帯域制御フィルタの透過帯域を設定する態様を説明してきた。しかし、本発明は実施形態３に限定されるものではない。
【００７２】
例えば、本実施形態は、サービス提供装置２０１のルーティング処理部３２ａに直接あるいはＬＡＮを介して接続されたデータ通信端末装置が、放送サービス要求メッセージを送信することを契機として、ユーザ装置の帯域制御フィルタ１８の透過帯域を設定する。
【００７３】
［フィルタ制御処理の流れ］
図１１は、図４の映像配信システム３０１での、ユーザ装置における帯域制御フィルタの制御処理の流れを説明する図である。
【００７４】
（放送サービス変更要求処理）
サービス提供装置２０１のルーティング処理部３２ａに接続されたデータ通信端末装置（例えば汎用コンピュータなど）（不図示）は、当該装置の操作者の操作に基づき、任意のプロトコルを用いて、放送サービス要求メッセージをサービス提供装置２０１へ送信する。放送サービス要求メッセージは、制御対象となるユーザ装置の情報（ＩＰアドレスあるいは電話番号など）と、制御対象となるユーザ装置の映像信号出力部から新たに出力させたい放送サービスないしチャネルをサービス提供装置に通知するためのメッセージである。任意のプロトコルは、例えばＨＴＴＰ（Ｈｙｐｅｒ  Ｔｅｘｔ  Ｔｒａｎｓｆｅｒ  Ｐｒｏｔｏｃｏｌ）など、所定のメッセージを送達可能なプロトコルであればよい。ルーティング処理部３２ａに到達した放送サービス要求メッセージは、認証処理部３２ｂへ転送される。
【００７５】
図１０と図１１を参酌すれば分かるとおり、これ以降の処理の流れは、図１０を用いて説明したものと同じとすればよいため、以降の説明は割愛する。
【００７６】
以上の実施形態で説明したように、本発明は、サービス提供装置側でユーザ装置を認証し、ユーザ装置のフィルタを制御するため、映像を閲覧する権限がない利用者のユーザ装置から映像信号を出力させないようにすることができる。
【００７７】
［付記］
以下は、本実施形態の映像配信システムに関連する事項を説明したものである。
（１）：
送信する複数のチャネルに対応した映像信号を周波数多重した多重映像信号をサービス提供装置からユーザ装置へ送信する映像配信システムであって、
前記ユーザ装置は、
自身の固有番号と前記多重映像信号のうち少なくとも一部の映像信号を選択的に透過する帯域制御フィルタを有しており、前記固有番号及び所望の映像信号の情報を前記サービス提供装置に送信し、前記サービス提供装置から受信した前記所望の映像信号の閲覧を許可する閲覧許可信号に基づき、前記所望の映像信号が透過するように前記帯域制御フィルタの透過帯域を設定し、
前記サービス提供装置は、
前記ユーザ装置の前記固有番号と映像信号の閲覧可否を記載した放送サービスデータベースを有しており、前記ユーザ装置から前記固有番号及び所望の映像信号の情報を受信した時に、前記固有番号を検索キーとして前記放送サービスデータベースを参照し、前記ユーザ装置が前記所望の映像信号の閲覧が許可されていることを確認すると、前記所望の映像信号の前記閲覧許可信号を前記ユーザ装置へ送信する
ことを特徴とする映像配信システム。
【００７８】
（２）：
送信する複数のチャネルに対応した映像信号を周波数多重した多重映像信号をサービス提供装置から受信するユーザ装置であって、
自身の固有番号と前記多重映像信号のうち少なくとも一部の映像信号を選択的に透過する帯域制御フィルタを有しており、前記固有番号及び前記所望の映像信号の情報を前記サービス提供装置に送信し、前記サービス提供装置から受信した前記所望の映像信号の閲覧を許可する閲覧許可信号に基づき、前記所望の映像信号を透過するように前記帯域制御フィルタの透過帯域を設定する
ことを特徴とするユーザ装置。
【００７９】
（３）：
送信する複数のチャネルに対応した映像信号を周波数多重した多重映像信号をユーザ装置へ送信するサービス提供装置であって、
前記ユーザ装置の固有番号と映像信号の閲覧可否を記載した放送サービスデータベースを有しており、前記ユーザ装置から前記固有番号及び所望の映像信号の情報を受信した時に、前記固有番号を検索キーとして前記放送サービスデータベースを参照し、前記ユーザ装置が前記所望の映像信号の閲覧が許可されていることを確認すると、前記所望の映像信号の閲覧を許可する前記閲覧許可信号を前記ユーザ装置へ送信する
ことを特徴とするサービス提供装置。
【００８０】
（４）：
送信する複数のチャネルに対応した映像信号を周波数多重した多重映像信号をサービス提供装置からユーザ装置へ送信する映像配信方法であって、
前記ユーザ装置の固有番号及び所望の映像信号の情報を前記サービス提供装置に送信する要求手順と、
前記サービス提供装置が前記ユーザ装置から前記固有番号及び前記所望の映像信号の情報を受信した時に、前記固有番号を検索キーとして前記ユーザ装置の前記固有番号と映像信号の閲覧可否を記載した放送サービスデータベースを参照する参照手順と、
前記ユーザ装置が前記所望の映像信号の閲覧が許可されていることを確認すると、前記サービス提供装置から前記所望の映像信号の閲覧を許可する閲覧許可信号を前記ユーザ装置へ送信する許可手順と、
前記サービス提供装置から受信した前記閲覧許可信号に基づき、前記ユーザ装置が有する、前記多重映像信号のうち少なくとも一部の映像信号を選択的に透過する帯域制御フィルタの透過領域を前記所望の映像信号が透過するように設定する設定手順と、
を行うことを特徴とする映像配信方法。
【００８１】
（５）：
コンピュータに、送信する複数のチャネルに対応した映像信号を周波数多重した多重映像信号をサービス提供装置から受信するユーザ装置として機能させるためのプログラムであって、
前記多重映像信号のうち少なくとも一部の映像信号を選択的に透過する帯域制御フィルタ機能を形成するフィルタ形成ステップと、
前記ユーザ装置の固有番号及び所望の映像信号の情報を前記サービス提供装置に送信する要求ステップと、
前記サービス提供装置から受信した前記所望の映像信号の閲覧を許可する閲覧許可信号に基づき、前記所望の映像信号が透過するように前記帯域制御フィルタ機能の透過帯域を設定する設定ステップと、
を有することを特徴とするプログラム。
【００８２】
（６）：
コンピュータに、送信する複数のチャネルに対応した映像信号を周波数多重した多重映像信号をユーザ装置へ送信するサービス提供装置として機能させるためのプログラムであって、
前記ユーザ装置の固有番号と映像信号の閲覧可否を記載した放送サービスデータベースを形成するデータベース形成ステップと、
前記ユーザ装置から前記固有番号及び所望の映像信号の情報を受信した時に、前記固有番号を検索キーとして前記放送サービスデータベースを参照する参照ステップと、
前記ユーザ装置が前記所望の映像信号の閲覧が許可されていることを確認すると、前記所望の映像信号の閲覧を許可する閲覧許可信号を前記ユーザ装置へ送信する許可ステップと、
有することを特徴とするプログラム。
【符号の説明】
【００８３】
１１：ＷＤＭ
１２：映像信号用ＯＮＵ
１３：データ信号用ＯＮＵ
１４：映像信号制御部
１５：データ信号処理部
１６：チューナ
１７：ＲＦ復調器
１８：帯域制御フィルタ
１９：データ信号処理部
１９ａ：フィルタ制御部
１９ｂ：ＳＩＰ処理部
１９ｃ：ルーティング処理部
２１：ＷＤＭ
２２：映像信号伝送装置
２３：光回線終端装置（ＯＬＴ）
３１：映像信号送信部
３２：認証・制御部
３２ａ：ルーティング処理部
３２ｂ：認証処理部
３２ｃ：ＳＩＰ処理部
５０：光伝送路
５１：スプリッタ
１００、１０１：ユーザ装置
２００：通信事業者設備
２０１：サービス提供装置
３００、３０１、３０２：映像配信システム
【図１】
0006546862.tif 000002
【図２】
0006546862.tif 000003
【図３】
0006546862.tif 000004
【図４】
0006546862.tif 000005
【図５】
0006546862.tif 000006
【図６】
0006546862.tif 000007
【図７】
0006546862.tif 000008
【図８】
0006546862.tif 000009
【図９】
0006546862.tif 000010
【図１０】
0006546862.tif 000011
【図１１】
0006546862.tif 000012